(57)【特許請求の範囲】
【請求項１】
上方壁（４，５）により閉じられている集乳用ベル（１５）と、前記上方壁（４，５）に取付けられた周囲マウス（８）を備えている搾乳到来ダクト（９）と、前記ベル（１５）に取付けられている放出ダクト（１７）と、搾乳用の前記周囲マウス（８）と整列してヘッダ（６）の内部に上方取付け手段（３）により取付けられている流れ調整器（１）とを包含する搾乳装置用ヘッダにおいて、前記流れ調整器（１）が逆きのこ形本体（２）を有し、この本体（２）が、個々の乳流れを前記放出ダクト（１７）に向かうひとつだけの均一で環状の連続流れに集合せしめるひとつだけの連続する環状通路（１４）を、前記ベルの内面と一緒に形成する外面を有していることを特徴とする搾乳装置用ヘッダ。
【請求項２】
請求項１記載の搾乳装置用ヘッダにおいて、前記逆きのこ形本体（２）が上方円形縁（７）及びこの上方円形縁（７）に放射接続部（１１）により接続されているさら形底部（１２）を包含し、前記上方円形縁（７）が前記ベル（１５）の内径よりも小さい直径を有して、前記搾乳到来ダクト（９）の周囲マウス（８）と整列していることを特徴とする搾乳装置用ヘッダ。
【請求項３】
請求項２記載の搾乳装置用ヘッダにおいて、前記逆きのこ形本体（２）の前記上方円形縁（７）に前記搾乳到来ダクト（９）と整列する周囲くぼみ（１８）が設けられていることを特徴とする搾乳装置用ヘッダ。
【請求項４】
請求項３記載の搾乳装置用ヘッダにおいて、前記周囲くぼみ（１８）の数が哺乳動物の乳房からの前記搾乳到来ダクト（９）の数と同じであることを特徴とする搾乳装置用ヘッダ。
【請求項５】
請求項３又は４記載の搾乳装置用ヘッダにおいて、前記周囲くぼみ（１８）が制御セル（１９）を包含することを特徴とする搾乳装置用ヘッダ。
【請求項６】
請求項５記載の搾乳装置用ヘッダにおいて、前記制御セル（１９）が前記さら形底部（１２）を有する下方カバー（２６）により前記逆きのこ形本体（２）の内部に組込まれてしっかりと取付けられた支持板（２２）に取付けられている導体（２０，２１）を通して電気エネルギが供給され、前記制御セル（１９）が多極ケーブル（２３）により外部制御センターに接続されていることを特徴とする搾乳装置用ヘッダ。
【請求項７】
請求項５又は６記載の搾乳装置用ヘッダにおいて、前記制御セル（１９）の上方部分が前記くぼみ（１８）を覆うフィルタ（２４）により保護されていることを特徴とする搾乳装置用ヘッダ。
【請求項８】
請求項１〜７のいずれか一項に記載の搾乳装置用ヘッダにおいて、前記逆きのこ形本体（２）をヘッダに取付ける前記手段が前記本体（２）と一体である上方円筒形パネル又はステム（３）により構成され、このパネル又はステム（３）が、接続部（１０）により前記上方円形縁（７）に接続されていると共に、下方の前記ベル（１５）と同軸の位置で前記上方壁（４，５）の内部中央部に取付けられていることを特徴とする搾乳装置用ヘッダ。
【請求項９】
請求項１〜７のいずれか一項に記載の搾乳装置用ヘッダにおいて、前記逆きのこ形本体（２）をヘッダに取付ける前記手段が前記上方壁（４，５）又は前記ベル（１５）の内面（１３）の組込式周囲放射支持体により構成されていることを特徴とする搾乳装置用ヘッダ。
【請求項１０】
請求項１〜７のいずれか一項に記載の搾乳装置用ヘッダにおいて、前記逆きのこ形本体（２）をヘッダに取付ける前記手段が下方の柱様又は放射中央支持体により構成されていることを特徴とする搾乳装置用ヘッダ。
【発明の詳細な説明】
【０００１】
本発明は、流れ調整器を備えている搾乳装置用ヘッダに関する。
【０００２】
より詳細には、本発明は、真空変動を調整する機能及び哺乳動物の乳房からの搾乳を加速する機能を有する流れ調整器を備えている搾乳装置用ヘッダに関する。
【０００３】
公知のように、搾乳プラントにおいて、搾乳装置は哺乳動物、特に牛、羊及びヤギの乳房から搾乳するための装置である。
【０００４】
搾乳装置は、２つ又は４つのニップルテーカ（羊及びヤギの場合は２つ、牛の場合は４つ）とヘッダとにより構成されている。ニップルテーカは哺乳動物の乳房に当てがわれ、真空作用によって乳を搾取してヘッダ内に運ぶ。ヘッダから、乳は特別の下方放出チューブ又はダクトを通して放出される。放出ダクトは乳ダクト又は場合によっては乳接続装置に接続している。
【０００５】
公知の搾乳装置の主たる欠点は、２つ又は４つのニップルテーカからやって来る交互の断続的な乳流れがヘッダ内で互いに交わって乳の乱流及びたまりを生じさせ、これにより好ましくない真空変動及び下方放出ダクトからの乳の正しくない不規則な放出を生じさせることにある。
【０００６】
このような欠点を排除又は抑制するために採用及び提案されているいろいろの試みは、十分及び／又は満足する結果をもたらしていない。
【０００７】
本発明の目的は、公知の搾乳装置のこのような欠点を排除することにある。
【０００８】
より詳細には、本発明の目的は、例えば、乱流及びたまりなしに、規則的で加速した流れで下方放出チューブ又はダクトからの乳の正確な放出を可能にする搾乳装置用ヘッダを提供することにある。
【０００９】
本発明のより一層一般的な態様から、本発明は、上記の目的及び下記の説明から明らかになるであろう他の目的を、ヘッダの内部に流れ調整器を搾乳到来ダクトの周囲マウスと整列して配置し、この流れ調整器が個々の乳流れを合体せしめて単一の均一な周囲流れにするような形状を有し、この単一の均一な周囲流れが下方に規則的に流出し、これによりヘッダの内部における前記流れの流体力学特性を改善することにより、達成することができる。
【００１０】
要するに、本発明は、上方壁により閉じられている集乳用ベルと、前記上方壁に取付けられた周囲マウスを備えている搾乳到来ダクトと、前記ベルに取付けられている放出ダクトと、搾乳用の前記周囲マウスと整列してヘッダの内部に上方取付け手段により取付けられている流れ調整器とを包含する搾乳装置用ヘッダにおいて、前記流れ調整器が逆きのこ形本体を有し、この本体が、個々の乳流れを前記放出ダクトに向かうひとつだけの均一で環状の連続流れに集合せしめるひとつだけの連続する環状通路を、前記ベルの内面と一緒に形成する外面を有していることを特徴とする搾乳装置用ヘッダを提供するものである。好適には、前記逆きのこ形本体は上方円形縁及びこの上方円形縁に放射接続部により接続されているさら形底部を包含し、前記上方円形縁は前記ベルの内径よりも小さい直径を有して、前記搾乳到来ダクトの周囲マウスと整列している。
【００１１】
逆きのこ形本体の特有な表面形状は、同本体に周囲バッフルコンベヤベントタイル、真空変動のアジャスタ及び哺乳動物の乳房から搾取される乳の放出のアクセレータの機能を与え、ヘッダの流体力学特性を改善する。前記バッフルコンベヤは、哺乳動物の乳房からの搾乳到来ダクトのヘッダの入口マウスのすべてと整列し、搾乳到来ダクトからやって来る乳をヘッダの内壁全体に向かってかつそれに沿って向ける均一な動きを前記乳に与え、その流れを調整して真空変動の発生を防止し、かつその結果ダクト又は集乳装置に向かう乳の放出を加速せしめる
。
【００１２】
ヘッダの流体力学特性を改善するに加えて、逆きのこ形本体の特有な形状は、また、乳の電気伝導率及び／又は他の物理的及び化学的パラメータの制御のためのセルをこの本体に装備することを可能にする。セルは、搾乳到来ダクトの入口マウスと同じ数とすることができる。そして、セルは前記ダクトと整列して配向された周囲くぼみに設けられ、これにより、上述した流体力学特性を妨げることなしに、乳の電気伝導率及び／又はその物理的及び／又は化学的パラメータを搾乳中に制御することができる。
【００１３】
セルは、逆きのこ形本体のバッフルコンベヤ表面形状に連続して適合する上方フィルタにより保護することができる。
【００１４】
本発明の流れ調整器の更に他の特徴は、流れ調整器を所望する大きさで作ることができることであり、したがって流れ調整器を市場で入手できる公知のヘッダ又は新規な構成のヘッダのすべてに適用及び採用できることである。
【００１５】
本発明の搾乳装置用ヘッダの構造及び作用の特徴は、単に非限定的な例として与えられている実施例を示す添付図面を参照して述べられている下記の説明から一層よく理解されるであろう。
【００１６】
図１及び図２を参照するに、非限定的な例で示されている流れ調整器１は、逆きのこ形本体２と上方円筒形パネル又はステム３とを包含する。
【００１７】
逆きのこ形本体２は、第１の上方接続部１０によりステム３に接続されている上方円形縁７と、第２の下方接続部１１により上方円形縁７に接続されているさら形底部１２とを包含する。
【００１８】
逆きのこ形本体２を包含する流れ調整器１は、その特有な丸み及び接続形状のために、その上方円形縁７が哺乳動物の乳房からヘッダ６にまで延びる搾乳到来ダクト９の周囲マウス８と実質的に整列するように、位置するよう設計されている。
【００１９】
パネル又はステム３の方に向いている上方放射接続部１０とそのさら形底部１２の方に向いている下方放射接続部１１とを備えている逆きのこ形本体２の特有な円形及びさら形の形状は、この逆きのこ形本体にバッフルコンベヤベントタイルの機能を与える。このバッフルコンベヤベントタイルは、単一の連続する環状通路１４を形成するのに十分な距離を置いてベル１５の内周面１３と関連する。
【００２０】
マウス８を通してヘッダに入る搾乳の交互噴流は、逆きのこ形のバッフルコンベヤ本体２の上方縁７に接触して、この部分上に広がり、それからベル１５の内壁全体を流れるほとんどひとつだけの連続する規則的な周囲の一定速度の流れをなして、ベル１５の全周面に沿って伝わって分配し、前記環状通路１４を通して下向きに流出する。これは乳流れが下方部分１６に乱流なしに集められ、放出チューブ又はダクト１７を通してヘッダから放出されるまで行われる。
【００２１】
実質的に、逆きのこ形本体２は、個々の乳流れを集めて規則的に下向きに流出すつするひとつだけの均一な周囲流れにすることができるバッフルコンベヤであり、ヘッダの内部における乳流れの流体力学特性を改善し、真空変動を排除し、真空レベルの一定維持を保証し、哺乳動物の乳房から搾取した乳の放出を改善し、たまることのない規則的な一定で迅速な乳放出が行われる。
【００２２】
図３〜図５は逆きのこ形本体２の第２実施例を示し、この実施例は上述した構造に加えて、例えば電気伝導率及び／又は他の重要な物理的及び化学的パラメータのような搾乳の特有な技術データの実時間制御に関する追加の機能を包含する。
【００２３】
この実施例（単に非限定的な例として与えられている）において、上方円筒形パネル又はステム３を備えている又は備えていない逆きのこ形本体２は、その上方縁７に、哺乳動物の乳房からの搾乳到来ダクト９と同じ数の周囲くぼみ１８が設けられている。これらのくぼみはダクト９と整列して座を構成し、これらの座に同じ数の制御セル１９を配置することができる。
【００２４】
これらのセルには、逆きのこ形本体の内部に設けられている支持板２２に取付けられている特別の通電接続部２０及び導体２１を通して電気エネルギが供給されており、多極ケーブル２３により、図示していない外部センターに収集データを伝送する。支持板２２は逆きのこ形本体２の内部に組込まれてしっかりと取付けられ、下方カバー２６で覆われる。このカバーの外面は、逆きのこ形本体２のさら形底部１２を形成するような形状とされている。セル１９はその上方部分がフィルタ２４により保護され、フィルタ２４はくぼみ１８を覆い、逆きのこ形本体の上方縁７の表面形状に連続して適合する。
【００２５】
到来ダクト９からやって来る搾乳の一部分は、フィルタ２４を通過してセル１９に接触し、セル１９上を流れてベル１５の内部に穴２５を通して流出し、それから通常の乳流れに再びなって下方部分１６に集まり、放出ダクト１７を通してヘッダから出る。
【００２６】
上述した例において、逆きのこ形のバッフルコンベヤ本体２は、搾乳装置用ヘッダの蓋５の上方部分、より詳細には内部上方壁４に本体２を簡単に取付ける手段を構成すると共にベル１５と同軸になるように中心決めされている上方円筒形パネル又はステム３と一体である。このような解決策は、新しい構成又はすでに使用されている公知のヘッダの大部分に逆きのこ形本体２を適用するために簡単で経済的でありかつ容易に採用可能であることからなされていることは明らかである。しかしながら、これは非限定的なものであり、上述した形状及び機能が同じである逆きのこ形バッフルコンベヤ本体２は、他の適用又は異なる形式のプラントのために、本体２をヘッダ６に取付ける異なる手段、例えば蓋５又はベル１５の内面の組込式周囲放射支持体、若しくは下方の柱様又は放射中央支持体、或いは同種の支持体を用いて設けることができるものである。
【００２７】
逆きのこ形バッフルコンベヤ本体２は、その特有な形状及びその構造的特徴により、新しく製造される搾乳装置用ヘッダの根本的な構成部品として又はすでに使用されている搾乳装置用ヘッダのための副次的な構成部品として、搾乳装置用ヘッダ６に組み合わせることができ、これにより、それらの流体力学特性を改善し、また搾乳の物理的及び化学的特性の制御装置を備える前記ヘッダを提供することができる。
【００２８】
以上本発明を単に非限定的な例として与えられている実施例にしたがって詳述してきたけれども、本発明の精神及び範囲を逸脱することなく種々の変形及び変更がなされるものであり、これらの変形及び変更も特許請求の範囲の保護範囲に含まれるものである。
【図面の簡単な説明】
【図１】本発明の搾乳装置用ヘッダの流れ調整器を構成する逆きのこ形本体の概略側面図である。
【図２】図１の逆きのこ形本体を備えている本発明の搾乳装置用ヘッダの概略断面図である。
【図３】制御セルを装備した逆きのこ形バッフルコンベヤ本体を備えている本発明の搾乳装置用ヘッダの第２実施例の概略断面図である。
【図４】（Ａ）は図３の逆きのこ形バッフルコンベヤ本体の概略側面断面図、（Ｂ）はその分解図である。
【図５】牛の乳房からの４つの搾乳到来ダクトを備えている牛用ヘッダの逆きのこ形本体のための制御セルの電気接続の一例を示す平面図である。
【符号の説明】
１    流れ調整器
２    逆きのこ形本体
３    上方円筒形パネル又はステム
４    内部上方壁
５    蓋
６    ヘッダ
７    上方円形縁
８    周囲マウス
９    搾乳到来ダクト
１０    上方放射接続部
１１    下方放射接続部
１２    さら形底部
１３    内周面
１４    環状通路
１５    ベル
１６    下方部分
１７    放出ダクト
１８    周囲くぼみ
１９    制御セル
２０    通電接続部
２１    導体
２２    支持板
２３    多極ケーブル
２４    フィルタ
２５    穴
２６    下方カバー
【図１】
0003780471.tif 000002
【図２】
0003780471.tif 000003
【図３】
0003780471.tif 000004
【図４】
0003780471.tif 000005
【図５】
0003780471.tif 000006